(57)【特許請求の範囲】
【請求項１】
用水路から農地へ農業用水を導く給水路の途中に、両面が前記給水路と直交していて、上下方向移動可能に配置され、下降した全閉位置で前記給水路を閉じ、上昇した全開位置で前記給水路を開く板状体の止水弁と、前記全開位置での前記止水弁を収容する弁体収容部と、この弁体収容部の上方位置に設けられ、前記止水弁の上下方向位置を制御する制御装置を収容する制御装置収容部と、を有してなる農地自動給水装置であって、
前記止水弁は、止水弁本体と弾性体外周部とから板状に構成されてなり、前記弾性体外周部は、独立気泡スポンジから構成されていて、前記止水弁の、厚さ方向から見て、少なくとも高さ方向下側部分の外周を構成し、前記止水弁の下降時に、前記給水路の底面に弾力的に圧接可能とされていて、
前記弁体収容部の下方位置に設けられ、前記全閉位置における前記止水弁を収容すると共に、前記弾性体外周部が上方から圧接する前記給水路の底面となる弁室底面を有する弁室と、この弁室を間にして、該弁室と共に前記給水路の一部を構成して設けられた上流側管部及び下流側管部と、を備え、
前記弾性体外周部は、前記給水路と直交する鉛直断面での外形において、下側面が下向きに凸の円弧形状部、この円弧形状部の両端から連続し、上方ほど拡開するテーパ面部とされ、且つ、板状体厚さ方向両側に、前記弁室の上流側面と摺接可能な上流側接触面及び前記弁室の下流側面と摺接可能な下流側接触面を有し、
前記弁室底面は、前記給水路と直交する鉛直断面において、前記止水弁が下降したとき、前記円弧形状部が上方から接触可能な凹円弧状底面、及び、前記テーパ面部が上方から接触可能なテーパ底面とからなり、前記凹円弧状底面は、前記給水路と平行な鉛直断面において水平とされていて、前記弁室の前記上流側面及び前記下流側面は、前記止水弁の前記上流側接触面及び前記下流側接触面に接触して、該止水弁を上下方向移動自在に案内する上流側ガイド壁及び下流側ガイド壁から構成されていることを特徴とする農地自動給水装置。
【請求項２】
請求項１において、
前記止水弁は、前記上流側接触面及び前記下流側接触面の上端から上流側及び下流側に突出した上流側フランジ及び下流側フランジを有し、
前記上流側ガイド壁及び前記下流側ガイド壁は、全閉状態の前記止水弁の前記上流側フランジ及び前記下流側フランジが上方から接触して、シールを構成する水平のシール段部を有することを特徴とする農地自動給水装置。
【請求項３】
請求項１または２において、
前記弁室の前記上流側ガイド壁及び前記下流側ガイド壁の少なくとも上流側ガイド壁は、前記凹円弧状底面の上端に臨接する位置から、鉛直に立上る構成とされたことを特徴とする農地自動給水装置。
【請求項４】
請求項１乃至３のいずれかにおいて、
前記弁室、前記上流側管部、及び、前記下流側管部は、前記給水路の一部として、配置された直管状パイプ部を構成し、前記弁体収容部は前記直管状パイプ部に直交して接続された分枝管部を構成し、前記直管状パイプ部と前記分枝管部はチーズ管部を構成し、前記直管状パイプ部の、前記分枝管部との接続部に対応する部分を前記弁室とし、前記直管状パイプ部の前記弁室の、上流側を前記上流側管部及び下流側を前記下流側管部とし、前記分枝管部を前記弁体収容部としたことを特徴とする農地自動給水装置。
【請求項５】
請求項１乃至４のいずれかにおいて、
前記止水弁は、全閉位置で前記弁体収容部を貫通して配置され、前記制御装置により、上下方向に位置制御される駆動ロッドに連結される止水弁本体と、前記弾性体外周部の厚さ方向中間位置で、該弾性体外周部に囲まれた状態で前記駆動ロッドの下端に連結された弁芯部と、を有してなり、前記弁芯部は硬質の板状体からなり、且つ、止水弁全閉時に、下端が前記弾性体外周部における前記円弧形状部を圧縮して、前記弁室底面に押圧させるように構成されたことを特徴とする農地自動給水装置。
【請求項６】
請求項１乃至４のいずれかにおいて、
前記弾性体外周部は、厚さ方向の中間位置に設けられた隙間によって２分割された上流側弾性体外周部及び下流側弾性体外周部から構成され、前記隙間の厚さ方向の大きさは、３ｍｍ乃至８ｍｍとされて、小石を挟み込み可能とされたことを特徴とする農地自動給水装置。
【請求項７】
請求項１乃至４のいずれかにおいて、
前記弁室底面における前記凹円弧状底面に、前記給水路方向の厚さが１ｍｍ−２ｍｍの凹円弧状リブを、前記止水弁の下降時に、前記弾性体外周部の前記円弧形状部に喰い込むように、１ｍｍ−２ｍｍの高さで突出して設けたことを特徴とする農地自動給水装置。
【請求項８】
請求項７において、
前記弁室底面における前記テーパ底面に、前記凹円弧状リブから連続して、同一断面形状のテーパ底面リブを設けたことを特徴とする農地自動給水装置。
【請求項９】
請求項２において、
前記弁室底面における前記凹円弧状底面に、前記給水路方向の厚さが１ｍｍ−２ｍｍの凹円弧状リブを、前記止水弁の下降時に、前記弾性体外周部の前記円弧形状部に喰い込むように、１ｍｍ−２ｍｍの高さで突出して設け、且つ、前記弁室底面における前記テーパ
底面に、前記凹円弧状リブから連続して、同一断面形状のテーパ底面リブを設け、
更に、前記テーパ底面リブから連続して、前記シール段部の上面の、前記止水弁の全閉時に、前記下流側フランジが上方から接触する位置にシール段部リブを設け、前記凹円弧状リブ、前記テーパ底面リブ、及び、シール段部リブをループ状に連続させたことを特徴とする農地自動給水装置。
【発明の詳細な説明】
【技術分野】
【０００１】
本発明は、用水路から水田や畑などの農地へ農業用水を導く給水路の途中に設けられ、給水量を調節するための農地自動給水装置に関する。
【背景技術】
【０００２】
特許文献１には、水田などへの水の補給で止水時確実に漏水しない構造で、且つ、無人で通水止水ができる自動潅水装置が開示されている。
【０００３】
同特許文献１において、弁体（止水弁）は、硬い材料からなると推定される板状体であって、給水路に対して板状体を含む平面が直交した状態で上下するように構成されている。
【０００４】
このような板状体の止水弁は、下降して、給水路を完全に閉じた状態（全閉状態）の場合、例えば数ｍｍの小さな石などがあった場合、その石を弁室の底面との間に挟み込んだ状態で止まってしまうので、該小石の高さ分だけ隙間ができて、漏水してしまうという問題点がある。
【０００５】
又、砂利などを挟み込んだ場合も、止水弁の下側先端部が砂利に食い込んだとしても、充分に給水路の底面まで到達できないので、やはり漏水してしまうという問題点がある。
【先行技術文献】
【特許文献】
【０００６】
【特許文献１】特開２０１０−１３６７１２号公報
【発明の概要】
【発明が解決しようとする課題】
【０００７】
この発明は、上記問題点に鑑みてなされたものであり、小石や砂利などが、止水弁と弁室底面との間に挟み込まれても、給水路を確実に全閉に近い状態にすることができる農地自動給水装置を提供することを課題とする。
【課題を解決するための手段】
【０００８】
この発明は、用水路から農地へ農業用水を導く給水路の途中に、両面が前記給水路と直交していて、上下方向移動可能に配置され、下降した全閉位置で前記給水路を閉じ、上昇した全開位置で前記給水路を開く板状体の止水弁と、前記全開位置での前記止水弁を収容する弁体収容部と、この弁体収容部の上方位置に設けられ、前記止水弁の上下方向位置を制御する制御装置を収容する制御装置収容部と、を有してなる農地自動給水装置であって、前記止水弁は、止水弁本体と弾性体外周部とから板状に構成されてなり、前記弾性体外周部は、独立気泡スポンジから構成されていて、前記止水弁の、厚さ方向から見て、少なくとも高さ方向下側部分の外周を構成し、前記止水弁の下降時に、前記給水路の底面に弾力的に圧接可能とされていて、前記弁体収容部の下方位置に設けられ、前記全閉位置における前記止水弁を収容すると共に、前記弾性体外周部が上方から圧接する前記給水路の底面となる弁室底面を有する弁室と、この弁室を間にして、該弁室と共に前記給水路の一部を構成して設けられた上流側管部及び下流側管部と、を備え、前記弾性体外周部は、前記給水路と直交する鉛直断面での外形において、下側面が下向きに凸の円弧形状部、この円弧形状部の両端から連続し、上方ほど拡開するテーパ面部とされ、且つ、板状体厚さ方向両側に、前記弁室の上流側面と摺接可能な上流側接触面及び前記弁室の下流側面と摺接可能な下流側接触面を有し、前記弁室底面は、前記給水路と直交する鉛直断面において、前記止水弁が下降したとき、前記円弧形状部が上方から接触可能な凹円弧状底面、及び、前記テーパ面部が上方から接触可能なテーパ底面とからなり、前記凹円弧状底面は、前記給水路と平行な鉛直断面において水平とされていて、前記弁室の前記上流側面及び前記下流側面は、前記止水弁の前記上流側接触面及び前記下流側接触面に接触して、該止水弁を上下方向移動自在に案内する上流側ガイド壁及び下流側ガイド壁から構成されていることを特徴とする農地自動給水装置により、上記課題を解決するものである。
【発明の効果】
【０００９】
本発明は、給水路を開閉する板状体の止水弁における、その厚さ方向から見て少なくとも高さ方向下側部分の外周が、独立気泡スポンジからなり、止水弁の下降時に給水路の底面に弾力的に圧接可能な弾性体外周部とされているので、止水弁が給水路を全閉するときに、給水路の底面に小石や砂利があっても、その上から覆うようにして給水路の底面に弾性体外周部が弾力的に圧接し、漏水を抑制することができるという効果を有する。
【図面の簡単な説明】
【００１０】
【図１】本発明の実施例１に係る農地自動給水装置を示す斜視図
【図２】図１のII−II線に沿う断面図
【図３】図２のIII−III線に沿う断面図
【図４】同農地自動給水装置の、止水弁が給水路を全閉した状態を示す、図２と同様の断面図
【図５】同農地自動給水装置における、止水弁が給水路を全閉した状態を示す、図３と同様の断面図
【図６】本発明の実施例２に係る止水弁の構造を示す、図２と同様の断面図
【図７】本発明の実施例３に係る止水弁の構造を示す、図３と同様の断面図
【図８】本発明の実施例４に係る止水弁の構造を示す、図３と同様の断面図
【図９】本発明の実施例５に係る弁室の構成を示す分解斜視図
【図１０】同実施例５に係る弁室の構成を拡大して示す図３と同様の断面図
【図１１】同実施例５に係る止水弁が全閉した状態を示す図５と同様の断面図
【発明を実施するための形態】
【００１１】
以下、本発明の実施例を図面を参照して詳細に説明する。
【００１２】
［実施例１］
図１は、実施例１に係る農地自動給水装置１０の外観を示す斜視図である。
【００１３】
農地自動給水装置１０は、用水路（図示省略）から農地（図示省略）へ農業用水を導く給水路１２の途中に配置された逆Ｔ字形状のチーズ管部１１の上にボトムケース１６を設け、更に、このボトムケース１６の上側に蓋１８を着脱自在に設けた構成とされている。
【００１４】
チーズ管部１１は、上流側管部１４Ａ、弁室４０（詳細後述）、及び、下流側管部１４Ｂを、給水路１２の一部として配置してなる直管状パイプ部１１Ａと、直管状パイプ部１１Ａの上側に直交して接続された形状の分枝管部１１Ｂとから構成されている。
【００１５】
詳細には、直管状パイプ部１１Ａと分枝管部１１Ｂとはチーズ管部１１を構成し、直管状パイプ部１１Ａの、分枝管部１１Ｂとの接続部に対応する部分を弁室４０とし、直管状パイプ部１１Ａにおける弁室４０の上流側を上流側管部１４Ａ、及び、下流側を下流側管部１４Ｂとし、分枝管部１１Ｂは弁体収容部３０（詳細後述）とした構成である。
【００１６】
詳細には、農地自動給水装置１０は、図２、図３に示されるように、下降した全閉位置で給水路１２を閉じ、上昇した全開位置で給水路１２を開くように上下方向に移動可能に配置された板状体の止水弁２０と、全開位置での止水弁２０を収容する弁体収容部３０と、この弁体収容部３０の上方位置に設けられ、止水弁２０の上下方向位置を制御する制御装置（制御基板）５２を収容する制御装置収容部５０とを有して構成されている。制御装置５２には、農地側の水位を検出する水位センサー１３からの検出信号が入力されるようになっている。
【００１７】
止水弁２０の、厚さ方向から見て、高さ方向下側部分の外周が、止水弁２０の下降時に給水路１２の底面に弾力的に圧接可能な、例えばＥＰＤＭ（エチレン・プロピレン・ジエンゴム）製の独立気泡スポンジからなる弾性体外周部２２とされている。
【００１８】
弁室４０は、弁体収容部３０の下方位置に設けられ、全閉位置における止水弁２０を収容すると共に、弾性体外周部２２が上方から圧接する給水路１２の底面となる弁室底面４２を有している。また、この弁室４０を間にして、弁室４０と共に給水路１２の一部を構成する前記上流側管部１４Ａ及び下流側管部１４Ｂを備えている。
【００１９】
弾性体外周部２２は、給水路１２と直交する鉛直断面において、下側面が下向きに凸の円弧形状部２４Ａ、この円弧形状部２４Ａの両端から連続し、上方ほど拡開するテーパ面部２４Ｂ、２４Ｃとされ、且つ、板状体の厚さ方向両側面は、弁室４０の上流側面４４Ａと摺接可能な上流側接触面２６Ａ及び弁室４０の下流側面４４Ｂと摺接可能な下流側接触面２６Ｂとされている。
【００２０】
弁室底面４２は、給水路１２と直交する鉛直断面において、止水弁２０が下降したとき、円弧形状部２４Ａが上方から接触可能な凹円弧状底面４２Ａ、及び、テーパ面部２４Ｂ、２４Ｃが上方から接触可能なテーパ底面４２Ｂ、４２Ｃとから構成されている。
【００２１】
又、弁室４０の上流側面４４Ａ及び下流側面４４Ｂは、止水弁２０の上流側接触面２６Ａ及び下流側接触面２６Ｂに接触して、止水弁２０を上下方向移動自在に案内する上流側ガイド壁４６Ａ及び下流側ガイド壁４６Ｂから構成されている。
【００２２】
又、止水弁２０は、上流側接触面２６Ａ及び下流側接触面２６Ｂの上端から上流側及び下流側に突出した上流側フランジ２８Ａ及び下流側フランジ２８Ｂを有し、上流側ガイド壁４６Ａ及び下流側ガイド壁４６Ｂは、全閉状態の止水弁２０の上流側フランジ２８Ａ及び下流側フランジ２８Ｂが上方から接触してシールを構成する水平のシール段部４８を備えている。
【００２３】
次に、制御装置収容部５０及びこれに収納されている制御基板５２及び、駆動部６０について説明する。
【００２４】
図３に示されるように、制御装置である制御基板５２は、制御装置収容部５０の底面上に固定されたブラケット６１の鉛直面に固定されている。
【００２５】
駆動部６０は、ブラケット６１の上辺と制御装置収容部５０の底面との間に鉛直軸周りに回転自在に配置された送りねじ６６と、この送りねじ６６を回転駆動するためのＤＣブラシレスモータ６８と、送りねじ６６に噛合して、送りねじ６６の回転方向によって上下動する駆動ブロック６４と、この駆動ブロック６４と一体的に設けられて、上下動する駆動ロッド６２とを有している。
【００２６】
図３の符号６２Ａは、駆動ロッド６２と共に上下動する止水弁２０の全開位置において、該止水弁２０の上端に接触した状態で、異物の装置内への侵入を防止する止め板を示す。
【００２７】
又、図２の符号５４は、ＤＣブラシレスモータ６８を駆動するための電源となるバッテリーを収納する電池ホルダを示す。
【００２８】
図２、図３における符号５９は、ボトムケース１６の下端を、弁体収容部３０の上端外側にはめ込んでシールするためのホースクリップを示す。
【００２９】
実施例１の農地自動給水装置１０は、水位センサー１３からの出力信号に対応して、農地側の水位が一定となるように、制御基板（制御装置）５２によって駆動部６０を制御し、止水弁２０を上下動させるものである。
【００３０】
止水弁２０の、図２、図３に示される全開状態の時、弁室４０は開かれ、水が給水路１２を介して、図３において右（上流側）から左（下流側）に流され、農地に給水される。
【００３１】
水位センサー１３が、農地の水位が所定値に到達したことを検出して、その検出信号を制御基板５２に送信すると、該制御基板５２が、ＤＣブラシレスモータ６８の出力を制御して、送りねじ６６を回転させて、駆動ブロック６４と共に、駆動ロッド６２及び止水弁２０を一体で下降させるが、図４及び図５に示されるように、弾性体外周部２２が弁室底面４２に上方から圧着して、給水路１２を弁室４０の位置で閉じて、給水を停止することになる。
【００３２】
この時、弁室４０内に小石や砂があっても、弾性体外周部２２が凹円弧状底面４２Ａ及びテーパ底面４２Ｂ、４２Ｃに弾力的に変形して圧着しているので、弾性体外周部２２と弁室底面４２との間に隙間が殆ど無く、従って、漏水は殆ど抑制される。
【００３３】
更に、図５に示されるように、止水弁本体２３における上流側フランジ２８Ａ及び下流側フランジ２８Ｂの下側に貼り付けられたゴムシート２９が、上流側ガイド壁４６Ａ及び下流側ガイド壁４６Ｂの上端面となるシール段部４８に、上方から弾力的に密着して全閉時の止水弁２０の姿勢を真直ぐに維持することができる。また、弾力的な密着によって形成されるシールが上流側ガイド壁４６Ａ、下流側ガイド壁４６Ｂと止水弁２０の上流側接触面２６Ａ、下流側接触面２６Ｂとの隙間を通って弁体収容部３０内への水の流入を抑制することができるので、この部分からの漏水も抑制することができる。但し、下流方向には、むしろ水を流出させなければならないので、他の手段によって充分に止水弁２０の姿勢を維持できれば、下流側のゴムシートは設けなくてもよい（図１０、１１参照）。
【００３４】
実験の結果を表１及び表２に示す。
【００３５】
【表１】
0006754877.tif 000002
【００３６】
【表２】
0006754877.tif 000003
【００３７】
実験条件は、全開時の給水路の流れ断面積が３９．８ｃｍ２として、止水弁を１日１回１８０日間昇降させた。農地側の水位に対して用水側の水位（水口水位）毎に、弁室内に異物がある場合となしの場合につき漏れ量を測定した。なお、試作機１は改良前、試作機２は本発明に係るものである。また、例えば表２において、土の厚み１０ｍｍに対して、２つの数値が示されているが、これは上段が最小、下段が最大を示す。
【００３８】
表１に示されるように、水口水位１ｍで給水路の底面に異物がない場合に、試作機２では、改良前に比較して大幅な漏れ量抑制を観測でき、また、表２に示されるように、異物として外径１５ｍｍ以下の小石があっても漏水は「０」であった。
【００３９】
［実施例２］
次に、図６に示される実施例２について説明する。
【００４０】
この実施例２は、弁室４０の上流側ガイド壁４６Ａ及び下流側ガイド壁４６Ｂの少なくとも上流側ガイド壁４６Ａに凹円弧状底面４２Ａの上端に隣接する位置から鉛直に立ち上がる、図６において二点鎖線で示される縦長三角形の範囲の立上り壁４７を設けたものである。
【００４１】
このように、上流側ガイド壁４６Ａに鉛直に立ち上がる立上り壁４７を設けると、止水弁２０の降下時に、全閉状態よりも前の段階から、弾性体外周部２２の厚さ方向両側面である上流側接触面２６Ａに接触して給水路１２の断面積が、実施例１の場合よりも小さくなる。
【００４２】
実施例１においては、止水弁２０が全閉状態となるまで、弾性体外周部２２と弁室底面４２との間に、図２において止水弁２０の幅方向両側に隙間があって、ここからも水が流れるが、実施例２においては、例えば弁室底面４２上に小石や砂が残っていたとき、給水路１２を流れる水は、弾性体外周部２２の円弧形状部２４Ａと凹円弧状底面４２Ａとの間に集中して、その分流速が速くなり、上記弁室底面４２に残っている小石や砂を強い水流によって除去することができる。
【００４３】
［実施例３］
次に、図７に示される本発明の実施例３について説明する。
【００４４】
この実施例３において、止水弁２０Ａは、全閉位置で弁体収容部３０を貫通して配置され、制御装置５２により、上下方向に位置制御される駆動ロッド６２に連結される止水弁本体２３と、弾性体外周部２２Ａの厚さ方向中間位置で、弾性体外周部２２Ａに囲まれた状態で駆動ロッド６２の下端に連結された弁芯部２３Ａと、を有している。弁芯部２３Ａは硬質の板状体からなり、且つ、止水弁２０の全閉時に、下端が弾性体外周部２２Ａにおける円弧形状部２４Ａを圧縮して、弁室底面４２に押圧させるように構成されている。
【００４５】
実施例３において、弁室４０内に止水弁２０Ａの流れ方向の厚さよりも長い小枝などが入り込んだときに、硬質の板状材からなる弁芯部２３Ａによって、小枝は弾性体外周部２２Ａに押し付けられた状態で、更に弁芯部２３Ａから集中荷重を受けるので、簡単に折れて、折れた隙間に、弾性体外周部２２Ａが弾力的に入り込むことによって、小枝周囲により形成された水の通路を遮断して漏水を防止することができる。
【００４６】
また、弁室底面４２に土が堆積していても弁芯部２３Ａは、弾性体外周部２２Ａが土に圧接したあと、更に土に食い込むので、この部分の流水量（漏れ量）を抑制することができる。
【００４７】
［実施例４］
次に、図８に示される実施例４について説明する。
【００４８】
この実施例４における止水弁２０Ｂは、弾性体外周部２２Ｂが、厚さ方向の中間位置に設けられた隙間２５によって上部を残して２分割された上流側弾性体外周部２２Ｃ及び下流側弾性体外周部２２Ｄから構成され、隙間の厚さ方向の大きさは３ｍｍ〜８ｍｍとされている。ここで、隙間の大きさは上流側弾性体外周部２２Ｃ及び下流側弾性体外周部２２Ｄの間に小石等が入り込んだときの、これらの変形が、止水弁としての機能を維持できる範囲とし、３ｍｍ〜８ｍｍに限定されない。
【００４９】
この実施例４においては、止水弁２０Ｂが全閉状態となろうとするとき、弁室底面４２上に残ったやや大きめの小石でも隙間２５に入り込んでしまうので、上流側弾性体外周部２２Ｃ及び下流側弾性体外周部２２Ｄがほぼ完全に弁室底面４２に接触することを可能とし、漏水を抑制することができる。
【００５０】
また、弁室底面４２に土が残っている場合でも、その土の少なくとも一部が隙間２５に入り込んで、土の堆積厚さが薄くなり、同様に漏水を抑制することができる。
【００５１】
［実施例５］
次に、図９乃至１１を参照して、本発明の実施例５について説明する。
【００５２】
この実施例５は、弁室底面４２（図２参照）からシール段部４８の上面に１ｍｍ−２ｍｍの高さで、且つ、給水路方向の厚さが１ｍｍ−２ｍｍのリブ７０を設けたものである。
【００５３】
このリブ７０は、図９に示されるように、弁室底面４２の凹円弧状底面４２Ａに、止水弁２０の下降時に、弾性体外周部２２の円弧形状部２４Ａに喰い込むように設けられた凹円弧状リブ７０Ａと、弁室底面４２のテーパ底面４２Ｂ、４２Ｃに、凹円弧状リブ７０Ａから連続して設けられた、同一断面形状のテーパ底面リブ７０Ｂと、シール段部４８の上面で、止水弁２０の全閉時に、ゴムシート２９（図３参照）が上方から圧接してシールを形成するシール段部リブ７０Ｃと、をループ状（図９に実線で示される）に連続して形成されている。
【００５４】
リブ７０は、例えばステンレス線等の耐食性金属、硬質樹脂等の材料からなり、形状は、図１０に拡大して示されるように、正面から見て、逆Ｌ字状に構成され、Ｌ字の縦辺を構成するテーパ底面リブ７０Ｂ及び凹円弧状リブ７０Ａは、弾性体外周部２２の水流れ方向の厚さの中間位置に相当するように配置されている。又、逆Ｌ字の上辺は、シール段部リブ７０Ｃから構成されている。
【００５５】
弾性体外周部２２は、図１０に示される中間位置から、図１１に示される全閉位置まで下降することによって、その円弧形状部２４Ａが、凹円弧状リブ７０Ａ及びテーパ底面リブ７０Ｂに喰い込んで強いシールを構成する。
【００５６】
止水弁２０の上流側フランジ２８Ａ下側に設けられたゴムシート２９は、弾性体外周部２２の円弧形状部２４Ａ及びテーパ面部２４Ｂ、２４Ｃが、リブ７０に圧接する時、同時にシール段部リブ７０Ｃに圧接して、図９に示されるように、連続したループ状のシールを形成し、上流側から弁室４０内への水の侵入を規制することができる。
【００５７】
ここで、シール段部の高さが１ｍｍ−２ｍｍとしたのは、リブ７０による止水効果を期待するためには高さが１ｍｍ以上が必要であり、又、リブ７０によって変形する弾性体外周部２２の劣化や変形、全体の止水効果の維持を考慮すると、高さが２ｍｍ以下とする必要があった。又、厚さは、リブの破損防止を考慮し、高さと同じの１ｍｍ−２ｍｍとしたが、厚さ１．５ｍｍが最適であった。
【００５８】
上記実施例５では、リブ７０は全体としてループ状であって、止水弁２０の全閉時に弁室底面４２のみならず、シール段部リブ７０Ｃにおいてもシールを形成する構成であるので、ほぼ完全に止水できるという効果を有する。
【００５９】
又、シール段部リブ７０Ｃを設けない場合、弁室底面４２にわずかな砂等が残っている条件で、凹円弧状リブ７０Ａとテーパ底面リブ７０Ｂとにより、残留砂による漏水を抑制することができる。
【符号の説明】
【００６０】
１０…農地自動給水装置
１１…チーズ管部
１１Ａ…直管状パイプ部
１１Ｂ…分枝管部
１２…給水路
１３…水位センサー
１４Ａ…上流側管部
１４Ｂ…下流側管部
１６…ボトムケース
１８…蓋
２０、２０Ａ、２０Ｂ…止水弁
２２、２２Ａ、２２Ｂ…弾性体外周部
２２Ｃ…上流側弾性体外周部
２２Ｄ…下流側弾性体外周部
２３…止水弁本体
２３Ａ…弁芯部
２４Ａ…円弧形状部
２４Ｂ、２４Ｃ…テーパ面部
２５…隙間
２６Ａ…上流側接触面
２６Ｂ…下流側接触面
２８Ａ…上流側フランジ
２８Ｂ…下流側フランジ
２９…ゴムシート
３０…弁体収容部
４０…弁室
４２…弁室底面
４２Ａ…凹円弧状底面
４２Ｂ、４２Ｃ…テーパ底面
４４Ａ…上流側面
４４Ｂ…下流側面
４６Ａ…上流側ガイド壁
４６Ｂ…下流側ガイド壁
４７…立上り壁
４８…シール段部
５０…制御装置収容部
５２…制御基板（制御装置）
５４…電池ホルダ
５９…ホースクリップ
６０…駆動部
６１…ブラケット
６２…駆動ロッド
６２Ａ…止め板
６４…駆動ブロック
６６…送りねじ
６８…ＤＣブラシレスモータ
７０…リブ
７０Ａ…凹円弧状リブ
７０Ｂ…テーパ底面リブ
７０Ｃ…シール段部リブ
【要約】      （修正有）【課題】小石や砂利などが、止水弁と弁室底面との間に挟み込まれても、給水路を確実に全閉に近い状態にすることができる農地自動給水装置を提供する。【解決手段】用水路から農地へ農業用水を導く給水路の途中に配置された農地自動給水装置１０は、上下方向移動可能に配置され、下降した全閉位置で給水路を閉じ、上昇した全開位置で給水路を開く板状体の止水弁２０と、全開位置での止水弁２０を収容する弁体収容部３０と、弁体収容部３０の上方位置に設けられ、止水弁２０の上下方向位置を制御する制御装置５２を収容する制御装置収容部５０と、を有してなり、止水弁２０の、厚さ方向から見て少なくとも高さ方向下側部分の外周が、独立気泡スポンジからなり、止水弁２０の下降時に、給水路の底面に弾力的に圧接可能な弾性体外周部２２とされている。【選択図】図２【図１】
0006754877.tif 000004
【図２】
0006754877.tif 000005
【図３】
0006754877.tif 000006
【図４】
0006754877.tif 000007
【図５】
0006754877.tif 000008
【図６】
0006754877.tif 000009
【図７】
0006754877.tif 000010
【図８】
0006754877.tif 000011
【図９】
0006754877.tif 000012
【図１０】
0006754877.tif 000013
【図１１】
0006754877.tif 000014